(57)【要約】【課題】不正具の進入を防止する遊技機を得る。【解決手段】ガラス枠２２と上皿４２の境界部に生じる隙間１３５と略対向するように、不正具進入防止部材１３６を配置することで、該隙間１３５を通じてピアノ線などの線材１３８が進入したとしても、線材１３８の先端が不正具進入防止部材１３６に突き当ると、不正具進入防止部材１３６は弾性変形し該線材１３８の先端が不正具進入防止部材１３６によって保持される。これにより、線材１３８の先端が不正具進入防止部材１３６の奥方へ進入することがないよう防止している。【選択図】図７
2008086571.tif 000002
【特許請求の範囲】
【請求項１】
略矩形状の外枠と、
前記外枠に回動可能に支持されると共に、前面側に遊技盤が設けられ裏面側に電子部品が配設された内枠と、
前記内枠の前面上部に回動可能に支持され、前記遊技盤を覆うガラスユニットが取付けられたガラス枠と、
前記内枠の前面下部に回動可能に支持され、遊技球を貯留する皿ユニットと、
を備え、
前記ガラス枠と前記皿ユニットとの間に生じる隙間、或いは前記内枠とガラス枠又は皿ユニットとの間に生じる隙間に略対向して配置され、前記隙間から進入する線材の先端が突き当ると変形して前記線材の先端を保持し、線材の進入を規制する不正具進入防止手段を有することを特徴とする遊技機。
【請求項２】
前記線材が前記不正具進入防止手段から離れると、該不正具進入防止手段が弾性復元することを特徴とする請求項１に記載の遊技機。
【請求項３】
前記不正具進入防止手段が、前記線材の押圧によって弾性変形可能な弾性部材と、前記弾性部材の表面を覆う金属シートと、を含んで構成されたことを特徴とする請求項１又は２に記載の遊技機。
【発明の詳細な説明】
【技術分野】
【０００１】
本発明は、パチンコ機などの遊技機に関する。
【背景技術】
【０００２】
パチンコ機では、大型部品（取付枠、遊技機、ガラス枠、皿ユニットなど）同士で互いに着脱可能或いは回動可能に取付けられているが、この大型部品間では、隙間が生じることとなる。このように隙間が生じると、該隙間からピアノ線又はセルロイド等の不正具を用いて機器内部に進入させ、機器を不正に操作するという問題がある。
【０００３】
一方、近年では、装飾性の向上、軽量化及びコストダウンの観点から各大型部品を樹脂成形品にする機種が増えている。この場合、成形加工による寸法精度のバラツキ、或いは組付け後の変形等により大型部品間の隙間がさらに大きくなってしまうことが懸念される。
【０００４】
このため、特許文献１では、遊技盤の周縁に板バネを設け、該板バネの端部を屈曲させて遊技盤と遊技盤取付枠との間に生じる隙間と対向させ、該隙間からピアノ線等の不正具の進入を防止するようにしている。
【０００５】
しかしながら、ピアノ線などの場合、板バネなどに当接すると、形状を変え、板バネの形状に沿ってさらにパチンコ機の内部へ移動させることが可能である。
【特許文献１】特開２００４−４１８１６号公報
【発明の開示】
【発明が解決しようとする課題】
【０００６】
本発明は上記事実を考慮して、不正具の進入を防止する遊技機を提供することを課題とする。
【課題を解決するための手段】
【０００７】
上記課題を解決するために、請求項１に記載の発明は、遊技機において、略矩形状の外枠と、前記外枠に回動可能に支持されると共に、前面側に遊技盤が設けられ裏面側に電子部品が配設された内枠と、前記内枠の前面上部に回動可能に支持され、前記遊技盤を覆うガラスユニットが取付けられたガラス枠と、前記内枠の前面下部に回動可能に支持され、遊技球を貯留する皿ユニットと、を備え、前記ガラス枠と前記皿ユニットとの間に生じる隙間、或いは前記内枠とガラス枠又は皿ユニットとの間に生じる隙間に略対向して配置され、前記隙間から進入する線材の先端が突き当ると変形して前記線材の先端を保持し、線材の進入を規制する不正具進入防止手段を有することを特徴とする。
【０００８】
請求項１に記載の発明では、外枠には内枠が回動可能に支持され、該内枠の前面側には遊技盤が設けられ、裏面側には電子部品が配設されている。また、内枠の前面上部には遊技盤を覆うガラスユニットが取付けられたガラス枠が回動可能に支持され、内枠の前面下部には、遊技球を貯留する皿ユニットが回動可能に支持されている。
【０００９】
このため、皿ユニットとガラス枠との間、或いは内枠とガラス枠又は皿ユニットとの間には、隙間が生じることになるが、この隙間に略対向して不正具進入防止手段を配置している。この不正具防止手段は、ピアノ線などの線材の先端が突き当ると変形して該線材の先端を保持する。
【００１０】
従って、皿ユニットとガラス枠との間、或いは内枠とガラス枠又は皿ユニットとの間に生じる隙間に、この不正具防止手段を設けることで、該隙間から進入する線材の進入を規制することができる。また、板バネと違いコンパクトに実装可能なため、様々な部位に配置することができ、また、各部品間に生じる隙間を埋めることもできる。
【００１１】
請求項２に記載の発明は、請求項１に記載の遊技機において、前記線材が前記不正具進入防止手段から離れると、該不正具進入防止手段が弾性復元することを特徴とする。
【００１２】
線材の先端が突き当たることで不正具進入手段を塑性変形させることで、不正具進入手段に線材が突き当たった履歴が残ることとなり、線材の進入状況を確認するということもできるが、請求項２に記載の発明では、線材が不正具進入防止手段から離れると、該不正具進入防止手段を弾性復元させ、元の状態に戻すようにすることで、線材の進入に対して、不正具進入防止手段の効果を常に一定の状態に維持することができる。
【００１３】
請求項３に記載の発明は、請求項１又は２に記載の遊技機において、前記不正具進入防止手段が、前記線材の押圧によって弾性変形可能な弾性部材と、前記弾性部材の表面を覆う金属シートと、を含んで構成されたことを特徴とする。
【００１４】
請求項３に記載の発明では、不正具進入防止手段として、線材の押圧によって弾性変形可能な弾性部材を用い、該弾性部材の表面を金属シートで覆うことで、不正具進入防止手段の強度を向上させると共に、耐熱性を得ることができる。
【発明の効果】
【００１５】
本発明の遊技機によれば、不正具の進入を防止することができる。
【発明を実施するための最良の形態】
【００１６】
以下、本発明の実施形態に係る遊技機について図面を参照して説明する。
【００１７】
（パチンコ機の構成）
図１〜図３には、本発明の一実施形態に係るパチンコ機１０が示されている。図１〜図３に示すように、パチンコ機１０は、パチンコ機１０の外郭を構成するとともにパチンコホールの島設備に設置される矩形状の外枠１２を備えている。外枠１２の前面には、合成樹脂で矩形額縁状に形成された内枠１４が配置されており（図２参照）、内枠１４の下側となる外枠１２の前面下端部には、パチンコ機１０の前面下端部を構成する合成樹脂製の下飾り１６が取り付けられている。
【００１８】
内枠１４は、外枠１２の左上角部と下飾り１６の左上角部とに設けられた一対のヒンジ部１８、２０に左側端部が軸支されて開閉可能に取り付けられている。内枠１４の前面上部には、パチンコ機１０の前面上部を構成するガラス枠２２が配置されており、ガラス枠２２は、縦長略楕円形の窓部２４にガラス板（ガラスユニット）２６が装着されるとともに、左側端部が内枠１４に軸支されて開閉可能に取り付けられている（図２参照）。
【００１９】
ガラス枠２２の裏面側となる内枠１４の前面上部には、矩形状の開口部１５が形成されている。この内枠１４の開口部１５には、遊技盤Ｇが着脱（交換）可能にセットされており、遊技盤Ｇは、内枠１４に対して閉塞されたガラス枠２２によって覆われ、パチンコ機１０の正面側から窓部２４のガラス板２６を通して視認可能とされている。
【００２０】
ここで、遊技盤Ｇは、基板として透明の平板状合成樹脂材が用いられている（以下、透明遊技盤Ｇという）。この透明遊技盤Ｇの表面には、円弧状の内レール９０及び外レール９２が取り付けられている。これらの内レール９０及び外レール９２によって囲まれた円形状の領域は、発射装置６０（後述する）から発射されて打ち込まれた遊技球が自重落下により移動可能とされ、この領域が遊技を行う遊技領域ＰＡとされる。また、透明遊技盤Ｇの裏面側には、少なくとも遊技領域ＰＡのほぼ全域に亘って表示面が対向する大型の液晶表示器９４が配設されている。すなわち、遊技領域ＰＡが、液晶表示器９４の表示領域となっている。
【００２１】
また、ガラス枠２２の前面には、左右の両側端部に、遊技の進行に応じて点灯、消灯、及び点滅し照明による演出を行う複数の照明演出用のランプ２８が配設されており、左上と右上の各角部近傍に、遊技の進行に応じて効果音をステレオ出力する中高音用のスピーカ３０Ｌ、３０Ｒが内蔵されている。
【００２２】
一方、内枠１４の前面下部には、パチンコ機１０の前面下部を構成する皿ユニット４０が配置されている。皿ユニット４０は、皿ユニット４０の本体部を構成するベース４１の左側端部が内枠１４に軸支されて開閉可能に取り付けられており、ベース４１の前面上部に、遊技球を遊技盤Ｇへ向けて発射するために貯留して後述する発射装置６０（図２参照）へ供給する上皿４２が突設され、ベース４１の前面下部における上皿４２の左下に、上皿４２に貯留しきれない遊技球を貯留するための下皿４４が突設されている。
【００２３】
上皿４２は、底面が正面視にて右側から左側へ向けて下り傾斜しており、傾斜方向下流側となる底面の左側に、上皿４２内に貯留された遊技球を１列に整列して、ベース４１の裏面に取り付けられた球送り装置４５（図２参照）へ誘導する整列通路４６が設けられている。ベース４１によって構成された上皿４２の奥壁面における右側端部には、内枠１４の裏面に設けられた払出装置６２（図３参照）から払い出された貸し球や賞球が排出される球排出口４８が形成されており、下皿４４の奥壁面における右側端部には、上皿４２に貯留しきれない遊技球が排出される球排出口４９が形成されている。
【００２４】
そして、皿ユニット４０を構成するベース４１の前面右下部には、発射装置６０と電気的に接続されて打球の発射力（飛距離）を調整する発射ハンドル５４が取り付けられており、ベース４１の前面左下部には、下皿４４に隣接して灰皿５６が設けられている。また、ベース４１の前面略中央は矩形箱状に膨出しており、内部には、遊技の進行に応じて効果音を出力する重低音用のスピーカ（サブウーハ）５８が設けられている。
【００２５】
ここで、発射装置６０について説明する。
【００２６】
図５に示すように、発射装置６０は、パチンコ機１０の正面視にて左側下方に配置されており、プレート１０４を基盤として構成されている。このプレート１０４には回転軸１０６が設けられており、回転軸１０６には略Ｖ字型のノックアーム１０８の鋭角屈曲部１１０が固定されている。
【００２７】
回転軸１０６は、図示しない駆動源（ソレノイド等）により所定角度の範囲で往復回転するようになっており、遊技者が発射ハンドル５４（図１参照）を把持し、発射のための操作を行なうと、このハンドル操作量（回転量）に応じた強度で、ノックアーム１０８が所定の角度で往復回転する。
【００２８】
このノックアーム１０８の鋭角屈曲部１１０を起点として、長アーム１０８Ａの先端には、杵先１１１が取り付けられている。杵先１１１の軸線は、前記駆動源の回転接線方向に向けられている。また、長アーム１０８Ａの背部には、ゴム製のストッパ１１２がブラケット１１４を介してプレート１０４に固定されており、ノックアーム１０８の待機位置を決めている。
【００２９】
また、回転軸１０６の近傍には、発射球待機ユニット１１６が配設されており、該発射球待機ユニット１１６には、ノックアーム１０８の杵先１１１の移動軌跡上に図示しない案内レールから１個ずつ整列されて送り込まれるようになっている。そして、案内レールから送り込まれた遊技球Ｐは、誘導路としての役目を有するガイドプレート１１８と、先端部がガイドプレート１１８側へ倒れ込んだ状態で形成されたリブ１２０とによって保持されるようになっている。
【００３０】
ガイドプレート１１８とリブ１２０とで保持された遊技球Ｐの下部は開口されており、ノックアーム１０８の回転時に杵先１１１が当接するようになっている。この当接によって、遊技球Ｐは上方に弾き飛ばされ、内枠１４に形成された案内トンネル１２２を通過して、図２（なお、図２では図５に示す発射装置６０をカバー６１で覆っている）、に示す内レール９０と外レール９２を通過して遊技領域ＰＡへ至るようになっている。
【００３１】
また、内枠１４に形成された案内トンネル１２２の左右には、ファール球回収口１２８、１３０がそれぞれ設けられている。このファール球回収口１２８、１３０は、内レール９０と外レール９２の間まで至り、かつ遊技領域ＰＡまで至らずに戻って来たパチンコ球Ｐを回収する役目を有している。
【００３２】
ところで、図２に示すように、ベース４１の裏面における略中央部には、上皿４２に貯留しきれない遊技球を下皿４４（図１参照）へ流下させる球通路７０が設けられており、球通路７０よりも回転支持端側には、球送り装置４５が取り付けられている。球通路７０は、上端部に通路入口７２が形成され、下端部に形成された通路出口が球排出口４９とされている（図１参照）。
【００３３】
また、内枠１４の前面下部における皿ユニット４０の後側には、遊技盤Ｇの左下に前述した発射装置６０が配置されているが、遊技盤Ｇの略中央下方から右下に掛けては、貯球タンク７４が内枠１４に着脱可能に取り付けられている。
【００３４】
この貯球タンク７４は、上面が開口した箱型とされ、タンク底面が正面視にて左側から右側へ向けて下り傾斜している。タンク底面の傾斜方向上流側となる左端部には、詳細については後述する払出機構１００の払出装置６２から払い出された遊技球が流入するタンク入口（図示省略）が形成されており、傾斜方向下流側となる右側の前面には、上皿４２の球排出口４８に対応するタンク出口７６が形成されている。また、貯球タンク７４の前面左側端部には、タンク内の遊技球貯留量が満タンになった際に遊技球が溢れ出す、矩形状に切り欠かれたタンクオーバーフロー部７８が形成されている。
【００３５】
一方、内枠１４の裏面における自由端側（裏面視左側）の側端部には、図２及び図３に示されるように、内枠１４及びガラス枠２２を施錠するための施錠装置６４が取り付けられており、施錠装置６４の下側には、皿ユニット４０をロックするためのロック装置６８が取り付けられている。
【００３６】
この施錠装置６４によって、内枠１４が外枠１２に閉塞された状態で施錠されるとともに、ガラス枠２２が内枠１４に閉塞された状態で施錠され、ロック装置６８によって、皿ユニット４０が内枠１４に閉塞された状態でロックされる。
【００３７】
また、施錠装置６４の下部に設けられたシリンダー錠（錠前）６６は、皿ユニット４０の前面右上から露出しており、このシリンダー錠６６の鍵孔に鍵（図示省略）を差し込んで開錠操作すると、外枠１２に施錠された内枠１４が開錠されて開放可能となり、内枠１４に施錠されたガラス枠２２が開錠されて開放可能となる。
【００３８】
ガラス枠２２を開放すると露出されるロック装置６８のロック解除レバー６９を操作すると、内枠１４にロックされていた皿ユニット４０がロック解除されて開放可能となるが、皿ユニット４０が内枠１４に閉塞されてロック装置６８によりロックされると、発射装置６０の前側に球送り装置４５が配置され、貯球タンク７４のタンクオーバーフロー部７８の前下側に球通路７０の通路入口７２が配置される。また、タンク出口７６及び球排出口４８を介して貯球タンク７４と上皿４２とが連通する。
【００３９】
ところで、内枠１４側のタンク出口７６の下方位置と、皿ユニット４０側の球排出口４８の下方位置とには、上下方向にスライド可能とされた一対のシャッター板９３、９５が取り付けられている。このシャッター板９３、９５は、皿ユニット４０が閉塞されると各々下方へ移動して（図２に示される位置）、タンク出口７６と球排出口４８をそれぞれ開放しタンク出口７６と球排出口４８を連通させる。
【００４０】
また、皿ユニット４０が開放されるとき、シャッター板９３、９５は、各々上方へ移動して、内枠１４側のシャッター板９３はタンク出口７６の下縁側を塞ぎ、皿ユニット４０側のシャッター板９５は球排出口４８の下縁側を塞ぐ。このシャッター板９３、９５によって、皿ユニット４０を開放した際に、貯球タンク７４及び上皿４２から遊技球が流出しないようせき止められる。
【００４１】
一方、図４に示されるように、内枠１４の裏面には、払出機構１００（後述する）等が配設されている。払出機構１００は、基板となる矩形状のベース板１０２の裏面視右側（内枠１４の支持端側）に設けられており、ベース板１０２の払出機構１００以外の領域には、パチンコ機１０の各機能の全般を制御するための主制御基板９６、液晶表示器９４に表示させる図柄を制御するための図柄制御基板９８等が組み付けられた制御基板ボックス９７が取付け可能となっている。また、制御基板ボックス９７の表面は保護カバー９９で被覆可能とされている。
【００４２】
そして、ベース板１０２に制御基板ボックス９７及び保護カバー９９を取付けた状態で（ユニット化）、該ベース板１０２を内枠１４に対して着脱可能とされている。なお、ユニット化しない状態で、ベース板１０２を内枠１４に取付けた後、制御基板ボックス９７及び保護カバー９９を順番に取付けても良いのは勿論のことである。
【００４３】
ここで、払出機構１００について説明する。
【００４４】
図３に示すように、内枠１４裏面の支持端側（図中右側）の側端部には、上タンク８０及び下タンク８２に貯留された遊技球を貯球タンク７４（図２参照）側へ流下させる上部球通路ユニット８４及び下部球通路ユニット８６が延設されており、上部球通路ユニット８４と下部球通路ユニット８６の間に払出装置６２が取り付けられ、下部球通路ユニット８６の下側に発射装置６０が取り付けられている。また、発射装置６０の左側には払出制御基板８８が設けられている。
【００４５】
この払出制御基板８８による払出停止制御では、払出装置６２を駆動停止させて遊技球の払い出しを停止し、払出実行制御では、払出装置６２を駆動させて、上タンク８０及び下タンク８２から上部球通路ユニット８４を流下し払出装置６２に誘導された遊技球を、貸し球又は賞球として下部球通路ユニット８６へ払い出す。
【００４６】
そして、下部球通路ユニット８６へ払い出された遊技球は、下部球通路ユニット８６を通り貯球タンク７４へ誘導され、貯球タンク７４内を上流側（左側）から下流側（右側）へ転動して球排出口４８から排出されて、上皿４２に貯留される。
【００４７】
さらに、上皿４２内を下流側（左側）へ流下しつつ整列通路４６により１列に整列され、遊技者の発射ハンドル５４の操作により、球送り装置４５により１球ずつ発射装置６０に送り込まれ、発射装置６０によって遊技盤Ｇの遊技領域ＰＡへ発射される（図２の矢印Ａ方向）。この遊技球が遊技領域ＰＡを自重落下する過程で入賞又は外れとなることにより、遊技盤Ｇにて遊技球を用いた遊技が行われる。
【００４８】
そして、遊技の進行に伴い、大量の遊技球が賞球として払い出されるなどし、上皿４２が満タンになると、上皿４２に貯留しきれない遊技球は貯球タンク７４に貯留される。さらに貯球タンク７４が満タンになると、貯球タンク７４に貯留しきれない遊技球はタンクオーバーフロー部７８から溢れ出す。この貯球タンク７４から溢れ出した遊技球は、通路入口７２に落下して球通路７０を流下し、球排出口４９から排出されて下皿４４に貯留される。
【００４９】
また、遊技の終了時などに、上皿４２の前面左側に設けられた上皿用球抜きレバー５０を操作すると、整列通路４６の最下流部が開放して、上皿４２に貯留された遊技球が球通路７０へ排出され下皿４４へ流下する。さらに、下皿４４が遊技球で満タンになったときや遊技の終了時などに、下皿４４の前面下側に設けられた下皿用球抜きレバー５２を操作すると、下皿底面の一部が開放して、下皿４４に貯留された遊技球が下皿４４の下方に配置された球箱（図示省略）へ排出される。
【００５０】
次に、本発明の実施の形態に係る遊技機の要旨について説明する。
【００５１】
図５に示すように、発射装置６０に備えられた案内トンネル１２２の左側に位置するファール球回収口１２８を構成する図中左側の側壁１３２は、鉄などの金属板で形成されている。この側壁１３２の外面上端側には、該側壁１３２と直交して水平方向に延びる台座１３４が設けられている。
【００５２】
この台座１３４の上面には、直方体状の不正具進入防止部材１３６が固着されている。この不正具進入防止部材１３６は、例えば、線材１３８が貫通しない程度の強度を有するウレタン１３６Ａ等の弾性部材の表面を金属シート１３６Ｂで覆ったものが用いられる。
【００５３】
図６に示すように、ファール球回収口１２８は、ガラス枠２２と皿ユニット４０の支持端側に配置されており、また、ガラス枠２２と上皿４２の境界部に位置している。このような部品間の境界部では、隙間が生じるため、図７（Ａ）に示すように、矢印方向へ沿ってピアノ線などの線材が進入可能となってしまう。
【００５４】
このように、隙間を通じてピアノ線などの線材が進入した場合、線材の先端が遊技盤Ｇの下部中央付近に設けられた図示しない大入賞口（変動入賞装置）まで到達する危険性もあり、線材の移動を規制することが必須である。
【００５５】
このため、図７（Ｂ）に示すように、ガラス枠２２と上皿４２の境界部に生じる隙間１３５と略対向するように、不正具進入防止部材１３６を配置する。ここで、不正具進入防止部材１３６はウレタン１３６Ａ等の弾性部材で構成されているため、隙間１３５を通じてピアノ線などの線材１３８が進入したとしても、該線材１３８の先端が不正具進入防止部材１３６に突き当ると、図７（Ｃ）に示すように、不正具進入防止部材１３６は弾性変形し該線材１３８の先端が不正具進入防止部材１３６によって保持される。つまり、線材１３８の先端が不正具進入防止部材１３６の奥方へ進入することがないよう防止することができる。また、板バネと違いコンパクトに実装可能なため、様々な部位に配置することができる。
【００５６】
そして、線材１３８が不正具進入防止部材１３６から離れると、該不正具進入防止部材１３６は弾性復元して、元の状態に戻ることとなる。このように、復元可能な部材を用いることで線材１３８の進入に対して、不正具進入防止部材１３６の効果を常に一定の状態に維持することができる。
【００５７】
さらに、不正具進入防止部材１３６として、ウレタン１３６Ａの表面を金属シート１３６Ｂで覆うことで、不正具進入防止部材１３６の強度（線材１３８が貫通することのない強度）を向上させると共に、耐熱性を得ることができる。なお、不正具進入防止部材１３６として、十分な強度及び耐熱性を得ることができれば弾性部材の表面を必ずしも金属シートで覆う必要はない。例えば、アラミド繊維などを使用し、不正具進入防止部材１３６を形成しても良い。
【００５８】
また、ここでは、ファール球回収口１２８の近傍に不正具進入防止部材１３６を設けたが、ガラス枠２２と上皿４２の境界部、内枠１４とガラス枠２２或いは、内枠１４と皿ユニット４０など、各部品同士の境界部に生じる隙間１３５に略対向させることで、該隙間１３５から線材１３８の進入を防止することができるため、ファール球回収口１２８の近傍に限るものではない。
【００５９】
また、本形態では、不正具進入防止部材１３６を弾性部材として、線材１３８が不正具進入防止部材１３６から離れると、該不正具進入防止部材１３６を弾性復元させるようにしたが、不正具進入防止部材１３６として、所定値以上の押圧力が負荷されると塑性変形する部材を用いても良い。これにより、不正具進入防止部材１３６に線材１３８が突き当たった履歴が残ることとなり、線材１３８の進入状況を確認するということもできる。
【００６０】
さらに、不正具進入防止部材１３６として金属板を用い、該金属板の表面粗さを粗くして、線材１３８の先端が金属板の表面に突き当たった状態で線材１３８の先端の移動を規制するようにしても良い。
【００６１】
また、本形態はあくまでも一実施例であり、本発明の主旨を逸脱しない範囲内において適宜変更可能であることは言うまでもない。
【図面の簡単な説明】
【００６２】
【図１】本発明の実施形態に係るパチンコ機を示す正面側から見た斜視図である。
【図２】本発明の実施形態に係るパチンコ機のガラス枠及び皿ユニットが開放された状態を示す正面側から見た斜視図である。
【図３】本発明の実施形態に係るパチンコ機を示す背面図から見た斜視図である。
【図４】本発明の実施形態に係るパチンコ機の裏面に設けられた払出機構等を示す背面側から見た分解斜視図である。
【図５】本発明の実施形態に係るパチンコ機の発射装置を示す斜視図である。
【図６】本発明の実施形態に係るパチンコ機に設けられた不正具進入防止部材の位置を示す斜視図である。
【図７】本発明の実施形態に係るパチンコ機に設けられた不正具進入防止部材を示す説明図であり、（Ａ）は斜視図、（Ｂ）は不正具進入防止部材の変形前の状態を示す断面図、（Ｃ）は不正具進入防止部材の変形後の状態を示す断面図である。
【符号の説明】
【００６３】
１０      パチンコ機
１２      外枠
１４      内枠
２２      ガラス枠
４０      皿ユニット
４２      上皿（皿ユニット）
１３５    隙間
１３６    不正具進入防止部材（不正具進入防止手段）
１３６Ａ  ウレタン（弾性部材、不正具進入防止部材）
１３６Ｂ  金属シート（不正具進入防止部材）
１３８    線材
Ｇ        遊技盤
ＰＡ      遊技領域
【図１】
2008086571.tif 000003
【図２】
2008086571.tif 000004
【図３】
2008086571.tif 000005
【図４】
2008086571.tif 000006
【図５】
2008086571.tif 000007
【図６】
2008086571.tif 000008
【図７】
2008086571.tif 000009